(57)【特許請求の範囲】
【請求項１】
アンテナ装置であって、第１の外側（１１０−１）を備えた基板（１１０）を有していて、前記第１の外側（１１０−１）上に少なくとも１つの第１のアンテナ構造（５１−ｉ）が取り付けられており、
前記基板（１１０）の前記第１の外側（１１０−１）上に前記基板（１１０）から間隔を保って配置されたレードーム（１４０）を有しており、
前記基板（１１０）と前記レードーム（１４０）との間に配置された担体装置（１５０）を有していて、該担体装置（１５０）が電気的な絶縁材料を備えており、
少なくとも１つの第２のアンテナ構造（５２−ｉ）が、前記基板（１１０）に面した、前記担体装置（１５０）の第１の外側（１５０−１）に取り付けられており、
少なくとも１つの別の第２のアンテナ構造（５３−ｉ）が、前記基板（１１０）とは反対側の、前記担体装置（１５０）の第２の外側（１５０−２）に取り付けられており、
少なくとも１つの第３のアンテナ構造（５４−ｉ）が、前記基板（１１０）に面した、前記レードーム（１４０）の外側（１４０−１）に取り付けられており、
前記少なくとも１つの第２のアンテナ構造（５２−ｉ）及び前記少なくとも１つの別の第２のアンテナ構造（５３−ｉ）が、前記基板（１１０）および前記レードーム（１４０）から間隔を保って配置されており、
前記少なくとも１つの第３のアンテナ構造（５４−ｉ）は、第２の仮想の対称平面（Ｅ２）を基準にして前記少なくとも１つの第１のアンテナ構造（５１−ｉ）の鏡像を成し、かつ／または第３の仮想の対称平面（Ｅ３）を基準にして前記少なくとも１つの別の第２のアンテナ構造（５３−ｉ）の鏡像を成している、
アンテナ装置。
【請求項２】
前記担体装置（１５０）が電気的な絶縁材料より成っている、請求項１記載のアンテナ装置。
【請求項３】
前記電気的な絶縁材料が熱硬化性のプラスチックである、請求項１または２記載のアンテナ装置。
【請求項４】
前記担体装置（１５０）が一体的に構成されている、請求項１から３までのいずれか１項記載のアンテナ装置。
【請求項５】
前記担体装置（１５０）の一部が前記基板（１１０）に直接配置されていて、前記担体装置（１５０）の一部が前記基板（１１０）から間隔を保って配置されている、請求項１から４までのいずれか１項記載のアンテナ装置。
【請求項６】
前記担体装置（１５０）の一部が前記レードーム（１４０）に直接配置されていて、前記担体装置（１５０）の一部が前記レードーム（１４０）から間隔を保って配置されている、請求項１から５までのいずれか１項記載のアンテナ装置。
【請求項７】
アンテナ装置を製造するための方法であって、
少なくとも１つの第１のアンテナ構造（５１−ｉ）を基板（１１０）上に形成するステップ（Ｓ０１）と、
前記基板（１１０）から間隔を保ってレードーム（１４０）を形成するステップ（Ｓ０２）と、
前記基板（１１０）と前記レードーム（１４０）との間に配置された、電気的な絶縁材料を有する担体装置（１５０）を形成するステップ（Ｓ０３）と、
少なくとも１つの第２のアンテナ構造（５２−ｉ）を、前記基板（１１０）に面した、前記担体装置（１５０）の第１の外側（１５０−１）に、
少なくとも１つの別の第２のアンテナ構造（５３−ｉ）を、前記基板（１１０）とは反対側の、前記担体装置（１５０）の第２の外側（１５０−２）に、
前記基板（１１０）および前記レードーム（１４０）から間隔を保って形成し、
少なくとも１つの第３のアンテナ構造（５４−ｉ）を、前記基板（１１０）に面した、前記レードーム（１４０）の外側（１４０−１）に、第２の仮想の対称平面（Ｅ２）を基準にして前記少なくとも１つの第１のアンテナ構造（５１−ｉ）と鏡像を成し、かつ／または第３の仮想の対称平面（Ｅ３）を基準にして前記少なくとも１つの別の第２のアンテナ構造（５３−ｉ）と鏡像を成すように形成するステップ（Ｓ０４）と、
を有している、アンテナ装置を製造するための方法。
【発明の詳細な説明】
【技術分野】
【０００１】
本発明は、アンテナ装置およびアンテナ装置を製造するための方法に関する。
【背景技術】
【０００２】
最近の運転者支援システムを有する車両に、周囲状況検出のためにしばしば使用されるレーダセンサは、例えば７６〜７７ＧＨｚの周波数帯域で運転される。さらに進んだレーダセンサは、例えば拡張された７６〜８１ＧＨｚの周波数範囲を有している。このようなより広く提供可能な帯域幅の利点は、例えば近傍の周囲における別のレーダセンサの干渉による妨害を避けるために、レーダセンサを周波数帯域の様々な範囲内で運転する可能性または高められた位置分離能力である。
【０００３】
レーダ波としての電磁波の放射は、一般的なレーダセンサにおいては、通常はマイクロストリップライン技術のいわゆるパッチアンテナによって実現される。この場合、最も簡単なケースでは、矩形の金属被覆されたアンテナ素子（パッチ素子ともいう）が、このアンテナ素子の下に位置するアース面に対して所定の間隔を保って、高周波に適したプリント配線板−基板材料上に位置している。高周波に適した基板は、技術的に比較的費用がかかり、規格化された製造プロセスで集積するのはしばしば困難である。
【０００４】
単層の基板構造は、可能な周波数帯域幅内で部分的に制限されていて、例えば７６〜８１ＧＨｚの周波数帯域のために限定的にのみ使用可能である。エッチングされた構造を備えた、高周波に適した複数の基板層を有する多層の基板構造は、しばしば技術的に複雑であって、製造費用が高価になる。
【０００５】
特許文献１には、多層のマルチポリマー基板より成るモジュールとして構成されたマイクロ波レーダ装置が記載されており、前記マルチポリマー基板は金属被覆層を有していて、この金属被覆層は、ポリマー材料より成る２つの層間に配置されていて、遮蔽するために、また信号を通すために用いられる。
【０００６】
図６ａは、従来技術の１例によるアンテナ装置の概略図を示し、図６ｂは、従来技術の１例によるアンテナ装置の概略的な横断面図を示す。
【０００７】
１例としてのアンテナ装置の基本的な構成要素は第１のパッチ素子３であって、この第１のパッチ素子３は、アース面５の上の基板材料４上に配置されていて、第２の材料２上に被着された第２のパッチ素子１と結合されている。
【先行技術文献】
【特許文献】
【０００８】
【特許文献１】ドイツ連邦共和国特許公開第１０２０１２２０１３６７号明細書
【発明の概要】
【０００９】
本発明は、請求項１の特徴を有するアンテナ装置、および請求項１０の特徴を有するアンテナ装置を製造するための方法を開示する。
【００１０】
それによれば、アンテナ装置が設けられていて、該アンテナ装置は、第１の外側を備えた基板を有していて、第１の外側上に第１のアンテナ構造が取り付けられており、基板の第１の外側上に基板から間隔を保って配置されたレードームを有しており、基板とレードームとの間に配置された担体装置を有していて、該担体装置が電気的な絶縁材料を備えており、担体装置に少なくとも１つの第２のアンテナ構造が取り付けられていて、該第２のアンテナ構造が、基板およびレードームから間隔を保って配置されている。
【００１１】
また、アンテナ装置を製造するための方法が提供されており、この方法は、第１のアンテナ構造を基板上に形成するステップと、基板から間隔を保ってレードームを形成するステップと、基板とレードームとの間に配置された、電気的な絶縁材料を有する担体装置を形成するステップと、基板およびレードームから間隔を保って、少なくとも１つの第２のアンテナ構造を、担体装置に形成するステップと、を有している。
【００１２】
第１の素子が第２の素子の外側の「上に」構成されるということは、第２の素子の外側、つまり第２の素子の外側面に直接的に形成される、という意味であり、またこの外側上に間接的に構成される、という意味でもある。第１の素子が第２の素子の外側「に」構成されるということは、外側、つまり外側面に直接構成される、という意味である。第１の素子が第２の素子に関連して所定の形式で配置される場合、必ずしも第１の素子が構成されるときに既に第２の素子が構成されている必要はない。この場合は、むしろ、当業者が説明に従って製造することができる最終状態が記述される。
【発明の効果】
【００１３】
本発明による認識は、広帯域のアンテナ素子を実現するために、多層の基板構造とは異なる技術が存在する、という点にある。このような広帯域のアンテナは、例えばレーダセンサ、特にＫｆｚレーダセンサに配置若しくは使用することができる。
【００１４】
本発明の基礎を成す考え方は、金属の構造部を、追加的なまたはハウジングに設けられた担体装置に取り付ける、という点にある。この場合、マイクロストリップ構造の多層の全アンテナ構造が提案され、この場合、アンテナ装置の第１のアンテナ構造が、例えば古典的な高周波基板上に形成され、これに対して少なくとも１つの第２のアンテナ構造が、例えば古典的な高周波基板から間隔を保って配置された担体装置上に取り付けられている。全アンテナ構造の個別のアンテナ構造は、特に平坦なマイクロストリップ構造で構成することができる。「平坦」とは、特に、それぞれ個別のアンテナ構造のマイクロストリップが個別に見て概ね一平面内に配置される、という意味である。好適な形式で、それぞれアンテナ構造が取り付けられている平面は、互いに平行に配置されている。「概ね」とは、特に、このように評価された特性が、不可避なおよび／または具体的な使用に応じて無視できる程度の不正確さの枠内に存在する、という意味であってよい。
【００１５】
本発明によれば、特にアンテナ装置の固定的な所定の面において拡大された帯域幅を備えたアンテナ装置が提供され、この場合、好適には技術的にコントロールするのが困難な高価な方法を避けることができる。
【００１６】
レードームとは、特に外部の影響、例えば機械的な負荷、衝撃ガード、湿気その他から保護するための、一般的なレーダセンサにおいてしばしば設けられているハウジング閉鎖部のことである。レードームは、例えばレーダ透過性のプラスチックカバーとして構成されていてよい。
【００１７】
好適な実施例および実施態様は、従属請求項並びに明細書から図面を参照して得られる。
【００１８】
好適な実施態様によれば、担体装置は電気的な絶縁材料より成っている。担体装置は特に、電気的な導体である材料も、また電気的な半導体である材料も有していない。従って担体装置は、簡単に構成することができ、これによって製造コストが低減され、故障しにくくなる。
【００１９】
別の好適な実施態様によれば、電気的な絶縁材料は熱硬化性のプラスチックである。特に好適には、電気的な絶縁材料は、エポキシ樹脂をベースにした熱硬化性のプラスチックであり、場合によっては特別な充てん材により改良されている。このような材料は、電磁波、特にレーダ放射線の透過性に関連して特に好適な特性を有している。
【００２０】
別の好適な実施態様によれば、担体装置は一体的に構成されている。従って担体装置の製造は特に簡単に実施することができ、担体装置の公差は既に前もって検査され得る。
【００２１】
別の好適な実施態様によれば、担体装置は一部が基板に直接配置されていて、一部が基板から間隔を保って配置されている。特に担体装置は基板と共に１つの中空室を形成しており、この中空室は、互いに向き合う２つの壁面を有していて、第１の壁面に第１のアンテナ構造が取り付けられていて、第２の壁面に少なくとも１つの第２のアンテナ構造が取り付けられている。さらに、担体装置は、基板に関連して直接調整することができ、このことは、得ようとする公差を維持するために好都合である。
【００２２】
別の好適な実施態様によれば、担体装置は一部がレードームに直接配置されていて、一部がレードームから間隔を保って配置されている。担体装置はレードームと共に中空室を形成し、この場合、少なくとも１つの第２のアンテナ構造は、レードームに面しているが中空室によってレードームから間隔を保っている面、特に担体装置の外側に配置されている。
【００２３】
別の好適な実施態様によれば、少なくとも１つの第２のアンテナ構造が、基板に面した、担体装置の第１の外側に配置されている。
【００２４】
別の好適な実施態様によれば、少なくとも１つの第２のアンテナ構造が、担体装置の、基板とは反対側の第２の外側に配置されている。
【００２５】
別の好適な実施態様によれば、第３のアンテナ構造が、基板に面した、レードームの外側に配置されている。
【図面の簡単な説明】
【００２６】
【図１】本発明の１実施例によるアンテナ装置１００の概略的な横断面図である。
【図２】本発明の１実施例によるアンテナ装置２００の概略的な横断面図である。
【図３】本発明の１実施例によるアンテナ装置３００の概略的な横断面図である。
【図４】本発明の１実施例によるアンテナ装置４００の概略的な横断面図である。
【図５】本発明の別の実施例によるアンテナ装置を製造するための方法を具体的に説明するためのフローチャートである。
【図６ａ】従来技術によるアンテナ装置の１例の概略図である。
【図６ｂ】従来技術によるアンテナ装置の１例の概略的な横断面図である。
【発明を実施するための形態】
【００２７】
本発明を以下に図面の概略図に示した実施例を用いて詳しく説明する。
【００２８】
すべての図面において、同じ若しくは機能的に同じ構成要素および装置には、特に指摘がない限り、同じ符号が付けられている。方法ステップの番号設定は明瞭にするために役立ち、特に指摘がない限り、所定の時間的な連続を含意していない。特に、複数の方法ステップを同時に実施してもよい。
【００２９】
図１は、本発明の１実施例によるアンテナ装置１００の概略的な横断面図を示す。
【００３０】
図１によれば、アンテナ装置１００は、第１の外側１１０−１を備えた基板１１０を有しており、この第１の外側１１０−１上に第１のアンテナ構造５１−１，５１−２，５１−３，５１−４，５１−５が取り付けられている。第１のアンテナ構造は、以下ではまとめて５１−ｉと称呼される、マイクロストリップ技術による個別の第１のパッチ素子５１−１，５１−２，５１−３，５１−４，５１−５を有しており、これらのパッチ素子は、第１の外側１１０−１上に特に平坦に構成されている。第１のアンテナ構造５１−ｉは、例えばプリント基板を介して高周波信号が供給され、従って一次側の若しくはアクティブなパッチ素子を備えた一次アンテナ構造またはアクティブアンテナ構造と称呼されてよい。
【００３１】
第１の外側１１０−１上に、特に第１の外側１１０−１に担体構造１５０が構成されており、この担体構造１５０は第１の外側面１１０−１によって閉鎖されて中空室１５２を形成している。図１によれば、担体装置１５０は、第１の外側１１０−１に対して概ね直角に延在する壁区分１５４を有していて、さらに第１の外側１１０−１に対して概ね平行に延在する蓋区分１５６を有している。担体装置１５０は、例えばプラスチック、特にポリカーボネート（短く：ＰＣ）、ポリアミド（短く：ＰＡ）および／またはポリフタルアミド（短く：ＰＰＡ）より成っていてよい。
【００３２】
担体装置１５０、特に蓋区分１５６は、担体装置１５０の第１の外側１５０−１を有しており、この第１の外側１５０−１は、基板１１０の第１の外側１１０−１に面している。第１のアンテナ構造５１−ｉから放射された電磁波によってパッシブに生成可能であり、かつ／または第１のアンテナ構造５１−ｉと電磁式に結合可能である形式の、以下では共通に５２−ｉと称呼される第２のパッチ素子５２−１，５２−２，５２−３，５２−４，５２−５が、担体装置の第１の外側１５０−１に第２のアンテナ構造として取り付けられている。言い換えれば、第２のアンテナ構造５２−ｉはプリント基板を介して高周波信号が供給可能なのではなく、従って、二次パッチ素子、パッシブなパッチ素子若しくは連結素子を備えた、二次アンテナ構造、パッシブなアンテナ構造、または連結アンテナ構造と呼んでもよい。
【００３３】
特に、第２のアンテナ構造５２−ｉは第１のアンテナ構造５１−ｉに関連して、第１のアンテナ構造５１−ｉと第２のアンテナ構造５２−ｉとが、第１のアンテナ構造５１−ｉと第２のアンテナ構造５２−ｉとの間で基板１１０の第１の外側１１０−１に対して平行に配置された仮想の対称平面Ｅ１に関連して左右対称となるように、配置されている。仮想の対称平面Ｅ１は担体装置１５０の壁区分１５４と交差しているが、担体装置１５０の蓋区分１５６とは交差していない。特に、第１のアンテナ構造５１−ｉの各第１のパッチ素子５１−ｉは、その少なくとも基板１１０の第１の外側１１０−１に対して平行なそれぞれの面に関して、第２のアンテナ構造５２−ｉ内のそれぞれ対応する鏡像対称的な第２のパッチ素子５２−ｉと構造的に同じであってよい。
【００３４】
基板１１０の第１の外側１１０−１上に、特に担体装置１５０からもまた基板１１０からも間隔を保って、レードーム１４０が、基板１１０とレードーム１４０との間に担体装置１５０が配置されるように、配置されている。
【００３５】
担体装置１５０は電気的な絶縁材料を有しており、この絶縁材料は好適にはプラスチックであるかまたはプラスチックより成っている。
【００３６】
図２は、本発明の別の実施例によるアンテナ装置２００の概略的な横断面図である。
【００３７】
このアンテナ装置２００は、図１によるアンテナ装置１００の変化例であって、図１によるアンテナ装置１００とは特に第２のアンテナ構造、つまり二次的なまたはパッシブなアンテナ構造の配置が異なっている。図２によれば、アンテナ装置２００は、以下では短くまとめて５３−ｉと称呼する第３のパッチ素子５３−１，５３−２，５３−３，５３−４，５３−５を備えた別の第２のアンテナ構造を有しており、一方、アンテナ装置２００は図１に示した第２のパッチ素子５２−ｉを有していない。第３のパッチ素子５３−ｉは、担体装置１５０の第２の外側１５０−２上に構成されており、この第２の外側１５０−２は、担体装置１５０の第１の外側１５０−１とは反対側を向いていて、レードーム１４０に向けられている。
【００３８】
アンテナ装置２００の第１のパッチ素子５１−ｉは、電気的なプリント基板１７２を介して送受信装置１７０に電気的に接続されている。送受信装置１７０は、例えばＭＭＩＣ、つまりマイクロメカニカルな集積回路、特にＡＳＩＣ、つまり特定用途向け集積回路として構成されていてよい。このアンテナ装置２００によれば、送受信装置１７０も基板の第１の外側１１０−１上に配置されている。プリント基板１７２は、例えば担体装置１５０の下を貫通して、または選択的に担体装置１５０も貫通して、特に担体装置１５０の側方区分１５４のうちの１つを貫通して、送受信装置１７０から第１のパッチ素子５１−ｉにガイドされていてよい。送受信装置１７０によって、出力信号、特に高周波信号がプリント基板１７２を介してパッチ素子５１−ｉに伝送され、パッチ素子５１−ｉで受信された電磁入力信号が受信可能かつ評価可能である。
【００３９】
また、アンテナ装置２００は、基板１１０の第１の外側１１０−１とは反対側に向けられた、基板１１０の第２の外側１１０−２に、アース面１２０および担体基板１３０を有しており、この場合、アース面１２０は、担体基板１３０と基板１１０の第２の外側１１０−２との間にサンドイッチ状に配置されていて、特に基板１１０の第２の外側１１０−２および担体基板１３０に直接配置されている。担体基板１３０は、特にアース面よりも硬い材料を有していて、好適にはＨＦ材料、例えばＦＲ４を有している。
【００４０】
基板１１０は、特に高周波に適した材料より成る古典的な高周波基板より構成されている。
【００４１】
図３は、本発明の別の実施例によるアンテナ装置３００の概略的な横断面図を示す。このアンテナ装置３００は、図２のアンテナ装置２００の変化例であって、この場合、アンテナ装置３００は、別の第２のアンテナ構造５３−ｉの他にさらに、図１に示した第２のアンテナ構造５２−ｉも有している点で、アンテナ装置２００とは異なっている。従って、アンテナ装置３００は、それぞれ互いに平行な仮想の平面に配置されたパッチ素子５１−ｉ，５２−ｉ，５３−ｉを備えた、互いに間隔を保った３つのアンテナ構造を有している。
【００４２】
図４は、本発明の別の実施例によるアンテナ装置４００の概略的な横断面図を示す。
【００４３】
アンテナ装置４００は、アンテナ装置３００の変化例であって、この第３のアンテナ装置３００と比較して、以下では短くまとめて５４−ｉと呼ぶ第４のパッチ素子５４−１，５４−２，５４−３，５４−４，５４−５を有している。第４のパッチ素子５４−ｉは、基板１１０並びに担体装置１５０に向けられた、レードーム１４０の外側１４０−１に構成されている。特に、第３のアンテナ構造５４−１は、第２の仮想の対称平面Ｅ２を基準にして第１のアンテナ構造５１−ｉの鏡像を成していて、かつ／または第３の仮想の対称平面Ｅ３に従って別の第２のアンテナ構造５３−ｉの鏡像を成している。
【００４４】
第４のパッチ素子５４−ｉを備えた第３のアンテナ構造は変化例として、アンテナ装置２００のレードーム１４０にもまたはアンテナ装置１００によるレードーム１４０にも構成可能である。
【００４５】
図５は、本発明の別の実施例によるアンテナ装置を製造するための方法を具体的に説明するためのフローチャートを示す。
【００４６】
図５に示した製造方法は、特にアンテナ装置１００，２００，３００，４００を製造するための方法である。特にこの製造方法は、本発明によるアンテナ装置のために記載されたすべての実施例、変化例および実施態様に従って適合可能である。
【００４７】
ステップＳ０１で、第１のアンテナ構造５１−ｉがマイクロストリップ技術により基板１１０上に構成される。アンテナ構造は、多数の個別のパッチ素子５１−１，５１−２，５１−３，５１−４，５１−５を有していてよい。個別のパッチ素子は、互いにおよび／または基板１１０上に構成された送受信装置１７０に、プリント基板１７２を介して電気的に接続されていてよい。
【００４８】
ステップＳ０２で、基板１１０から間隔を保ってレードーム１４０が構成される。ステップＳ０３で、基板１１０とレードーム１４０との間に担体装置１５０が配置され、この担体装置１５０は、電気的な絶縁材料を有しているかまたは電気的な絶縁材料より成っている。担体装置１５０の配置の前段階として、例えばプラスチック射出成形による担体装置１５０の構成が含まれていてよい。
【００４９】
ステップＳ０４で、基板１１０およびレードーム１４０から間隔を保って少なくとも１つの第２のアンテナ構造５２−ｉ，５３−ｉが、担体装置１５０に構成される。少なくとも１つの第２のアンテナ構造５２−ｉ，５３−ｉの構成は、担体装置１５０を基板１１０とレードーム１４０との間に配置する前または後で行われてよい。
【００５０】
担体装置１５０は、特にプラスチックから成っているかまたはプラスチックを有していてよい。少なくとも１つの第２のアンテナ構造５２−ｉ，５３−ｉを構成するために、例えば“ｌａｓｅｒ  ｄｉｒｅｃｔ  ｓｔｒｕｃｔｕｒｉｎｇ（ＬＤＳ）「レーザダイレクトストラクチャリング」”によるＭＩＤ法が使用可能であり、この場合、レーザ活性化によって、単数または複数のプリント基板を有するプリント基板構造がプラスチックに被着され得る。別の可能性はフレキシブルなフィルムであり、このフィルム上に多層のプリント基板構造を被着してもよく、このフィルムはプラスチック射出成形により直接的に包囲される。同様に、第４のパッチ素子５４−ｉもレードーム１４０に構成されてよい。
【００５１】
担体装置１５０は、「インサート部」と称呼されてもよい。担体装置１５０は、基板１１０にまたは基板１１０の孔内に例えば接着またはクリップ結合することによって、レードーム１４０および／または基板１１０に固定されてよい。
【００５２】
好適な形式で、少なくとも１つの第２のアンテナ構造５２−ｉ，５３−ｉおよび担体装置１５０は、少なくとも１つの第２のアンテナ構造５２−ｉ，５３−ｉつまり二次的なまたはパッシブなパッチ素子５２−ｉ，５３−ｉが、第１のアンテナ構造５１−ｉつまり一次的なまたはアクティブなパッチ素子５１−ｉのいわゆる近傍領域内に位置するように、構成されかつ配置される。特に好適には、少なくとも１つの第２のアンテナ構造５２−ｉ，５３−ｉは、アンテナ装置１００，２００，３００，４００に関連して記載したように配置される。
【００５３】
本発明は、好適な実施例を用いて前述のように記載されているが、それに限定されるものではなく、多様な形式で改良することができる。特に本発明は、本発明の核心から逸脱することなしに、多種多様な形式で変更または改良することができる。
【００５４】
例えば、担体装置１５０によって基板１１０および／またはレードーム１４０と協働して形成される中空室１５２は、真空で負荷されるか、若しくは充填ガスまたは充填材料、例えば発泡材によって充填されていてよい。
【符号の説明】
【００５５】
５１−１，５１−２，５１−３，５１−４，５１−５，５１−ｉ  第１のアンテナ構造、第１のパッチ素子
５２−１，５２−２，５２−３，５２−４，５２−５，５２−ｉ  第２のアンテナ構造、第２のパッチ素子
５３−１，５３−２，５３−３，５３−４，５３−５，５３−ｉ  第３のパッチ素子
５４−１，５４−２，５４−３，５４−４，５４−５，５４−ｉ  第４のパッチ素子
１００，２００，３００，４００  アンテナ装置
１１０  基板
１１０−１  第１の外側
１２０  アース面
１３０  担体基板
１４０  レードーム
１４０−１  外側
１５０  担体構造、担体装置
１５０−１  第１の外側
１５０−２  第２の外側
１５２  中空室
１５４  壁区分、側方区分
１５６  蓋区分
１７０  送受信装置
１７２  プリント基板
Ｅ１  仮想の対称平面
Ｅ２  第２の仮想の対称平面
Ｅ３  第３の仮想の対称平面
Ｓ０１，Ｓ０２，Ｓ０３，Ｓ０４  ステップ
【図１】
0006431613.tif 000002
【図２】
0006431613.tif 000003
【図３】
0006431613.tif 000004
【図４】
0006431613.tif 000005
【図５】
0006431613.tif 000006
【図６ａ】
0006431613.tif 000007
【図６ｂ】
0006431613.tif 000008